(57)【要約】【課題】ミキサー装置とプレーヤーとの接続関係をユーザーが把握できると共に、各プレーヤーを識別可能とすることを目的とする。【解決手段】本発明のミキサー装置２０は、複数のプレーヤー１０と接続され、当該プレーヤー１０と制御信号の入出力を行うための複数のＬＡＮポートと、接続されているいずれかのプレーヤー１０から制御信号が入力されたことを検出する入力検出手段２１０と、検出された１のＬＡＮポートに予め割り当てられているＩＤを、当該１のＬＡＮポートに接続されているプレーヤー１０のＩＤとして決定するＩＤ決定手段２２０と、決定したＩＤを、前記１のＬＡＮポートを介してプレーヤー１０に送信するＩＤ送信手段２３０と、を備えたものである。【選択図】図２
2012019558.tif 000002
【特許請求の範囲】
【請求項１】
１以上の他のプレーヤーとネットワークを介して接続されたプレーヤーであって、
自身を特定するための複数のＩＤを記憶する記憶手段と、
記憶した前記複数のＩＤのうち、１の任意のＩＤを自身のＩＤとして仮決定するＩＤ仮決定手段と、
仮決定した前記任意のＩＤが、前記１以上の他のプレーヤーに割当てられているか否かを判別するＩＤ判別手段と、
前記ＩＤ判別手段による判別の結果、前記任意のＩＤが割当てられた前記他のプレーヤーが存在しない場合、当該任意のＩＤを自身のＩＤとして設定するＩＤ設定手段と、を備えたことを特徴とするプレーヤー。
【請求項２】
前記ＩＤ設定手段により設定された前記ＩＤを報知するＩＤ報知手段をさらに備えたことを特徴とする請求項１に記載のプレーヤー。
【請求項３】
前記ＩＤ判別手段は、仮決定した前記任意のＩＤを前記１以上の他のプレーヤーに送信し、全ての他のプレーヤーから許可信号を受信した場合、当該任意のＩＤが割当てられた他のプレーヤーが存在しないと判定することを特徴とする請求項１または２に記載のプレーヤー。
【請求項４】
前記ＩＤ判別手段は、仮決定した前記任意のＩＤを前記１以上の他のプレーヤーに送信し、全ての他のプレーヤーから非許可信号を受信しなかった場合、当該任意のＩＤが割当てられた他のプレーヤーが存在しないと判定することを特徴とする請求項１または２に記載のプレーヤー。
【請求項５】
請求項１ないし４のいずれか１項に記載のプレーヤーと、前記ネットワークを介して接続されたミキサー装置であって、
前記ＩＤ設定手段により各プレーヤーに設定されたＩＤを用いて、各プレーヤーを識別するプレーヤー識別手段を備えたことを特徴とするミキサー装置。
【請求項６】
複数のプレーヤーがネットワーク接続された再生システムであって、
各プレーヤーは、
自身を特定するための複数のＩＤを記憶する記憶手段と、
記憶した前記複数のＩＤのうち、１の任意のＩＤを自身のＩＤとして仮決定するＩＤ仮決定手段と、
仮決定した前記任意のＩＤが、前記１以上の他のプレーヤーに割当てられているか否かを判別するＩＤ判別手段と、
前記ＩＤ判別手段による判別の結果、前記任意のＩＤが割当てられた前記他のプレーヤーが存在しない場合、当該任意のＩＤを自身のＩＤとして設定するＩＤ設定手段と、を備えたことを特徴とする再生システム。
【請求項７】
前記複数のプレーヤーは、ミキサー装置とさらにネットワーク接続されており、
前記ミキサー装置は、
前記ＩＤ設定手段により各プレーヤーに設定されたＩＤを用いて、各プレーヤーを識別するプレーヤー識別手段を備えたことを特徴とする請求項６に記載の再生システム。
【請求項８】
コンピューターを、
請求項６または７に記載の再生システムにおける前記ミキサー装置または前記プレーヤーの各手段として機能させるためのプログラム。
【請求項９】
１以上の他のプレーヤーとネットワークを介して接続されたプレーヤーの制御方法であって、
自身を特定するための複数のＩＤを記憶する記憶工程と、
記憶した前記複数のＩＤのうち、１の任意のＩＤを自身のＩＤとして仮決定するＩＤ仮決定工程と、
仮決定した前記任意のＩＤが、前記１以上の他のプレーヤーに割当てられているか否かを判別するＩＤ判別工程と、
前記ＩＤ判別工程における判別の結果、前記任意のＩＤが割当てられた前記他のプレーヤーが存在しない場合、当該任意のＩＤを自身のＩＤとして設定するＩＤ設定工程と、を備えたことを特徴とするプレーヤーの制御方法。
【発明の詳細な説明】
【技術分野】
【０００１】
本発明は、１以上の他のプレーヤーと接続されて用いられるプレーヤー、ミキサー装置、再生システム、プログラム、プレーヤーの制御方法に関するものである。
【背景技術】
【０００２】
ミキサー装置は、一般的に、複数のプレーヤーと接続され、各プレーヤーによって再生された再生信号（例えば、音声信号）を混合したり、途切れないように繋いだりして、アンプやスピーカー等の出力装置に出力する。この種のミキサー装置は、主にクラブやディスコ等において、ディスクジョッキー（ＤＪ）が音楽を演奏する際のＤＪ機器（ＤＪが音響パフォーマンスに用いる機器）として用いられることが多い（例えば、特許文献１参照）。
【先行技術文献】
【特許文献】
【０００３】
【特許文献１】特開２００３−１０８１３２号公報
【発明の概要】
【発明が解決しようとする課題】
【０００４】
ところで、従来のミキサー装置に複数のプレーヤーを接続して利用する場合、ユーザー（例えば、ＤＪ）は、当該ミキサー装置のどの接続部あるいはどのチャンネルに、どのプレーヤーが接続されているか（ミキサー装置とプレーヤーとの接続関係）を把握しておく必要がある。しかしながら、通常、この接続関係を確認するためには、実際に接続されているケーブルを辿って確認するか、あるいはユーザーがミキサー装置と複数のプレーヤーとの接続関係を覚えておかなければならない。前者の場合、ケーブルの配線をいちいち確認しなければならないため、その作業が煩わしいという問題がある。一方、後者の場合、ユーザーが接続関係を間違えて記憶することも考えられ、例えば、プレーヤーの入れ替えを行う際、誤って他のプレーヤーのケーブルを抜いてしまうことがある。
【０００５】
一方、近年のＤＪ機器では、複数のプレーヤー間における楽曲データの共有機能を搭載したものが存在する。実在する機器としては、２台のプレーヤー限定で、自身に挿入されているメモリから楽曲データを読み出すか、他方のプレーヤーに挿入されているメモリから楽曲データを読み出すかを選択可能となっているものがある。ところが、３台以上のプレーヤー間で楽曲データの共有を行おうとすると、楽曲データを読み出すメモリを指定するために、各プレーヤーを識別する必要がある。ところが、既存のＤＪ機器は、各プレーヤーを識別する機能を有しないため、３台以上のプレーヤー間で楽曲データの共有を行うことができない。
【０００６】
本発明は、上記の問題に鑑み、ミキサー装置とプレーヤーとの接続関係をユーザーが把握できると共に各プレーヤーを識別することができるプレーヤー、ミキサー装置、再生システム、プログラム、プレーヤーの制御方法を提供することを目的とする。
【課題を解決するための手段】
【０００７】
本発明のプレーヤーは、１以上の他のプレーヤーとネットワークを介して接続されたプレーヤーであって、自身を特定するための複数のＩＤを記憶する記憶手段と、記憶した複数のＩＤのうち、１の任意のＩＤを自身のＩＤとして仮決定するＩＤ仮決定手段と、仮決定した任意のＩＤが、１以上の他のプレーヤーに割当てられているか否かを判別するＩＤ判別手段と、ＩＤ判別手段による判別の結果、任意のＩＤが割当てられた他のプレーヤーが存在しない場合、当該任意のＩＤを自身のＩＤとして設定するＩＤ設定手段と、を備えたことを特徴とする。
上記のプレーヤーにおいて、ＩＤ設定手段により設定されたＩＤを報知するＩＤ報知手段をさらに備えたことを特徴とする。
上記のプレーヤーにおいて、ＩＤ判別手段は、仮決定した任意のＩＤを１以上の他のプレーヤーに送信し、全ての他のプレーヤーから許可信号を受信した場合、当該任意のＩＤが割当てられた他のプレーヤーが存在しないと判定することを特徴とする。
上記のプレーヤーにおいて、ＩＤ判別手段は、仮決定した任意のＩＤを１以上の他のプレーヤーに送信し、全ての他のプレーヤーから非許可信号を受信しなかった場合、当該任意のＩＤが割当てられた他のプレーヤーが存在しないと判定することを特徴とする。
本発明のミキサー装置は、上記のプレーヤーと、ネットワークを介して接続されたミキサー装置であって、ＩＤ設定手段により各プレーヤーに設定されたＩＤを用いて、各プレーヤーを識別するプレーヤー識別手段を備えたことを特徴とする。
本発明の再生システムは、複数のプレーヤーがネットワーク接続された再生システムであって、各プレーヤーは、自身を特定するための複数のＩＤを記憶する記憶手段と、記憶した複数のＩＤのうち、１の任意のＩＤを自身のＩＤとして仮決定するＩＤ仮決定手段と、仮決定した任意のＩＤが、１以上の他のプレーヤーに割当てられているか否かを判別するＩＤ判別手段と、ＩＤ判別手段による判別の結果、任意のＩＤが割当てられた他のプレーヤーが存在しない場合、当該任意のＩＤを自身のＩＤとして設定するＩＤ設定手段と、を備えたことを特徴とする。
上記の再生システムにおいて、複数のプレーヤーは、ミキサー装置とさらにネットワーク接続されており、ミキサー装置は、ＩＤ設定手段により各プレーヤーに設定されたＩＤを用いて、各プレーヤーを識別するプレーヤー識別手段を備えたことを特徴とする。
本発明のプログラムは、コンピューターを、上記の再生システムにおけるミキサー装置またはプレーヤーの各手段として機能させることを特徴とする。
本発明のプレーヤーの制御方法は、１以上の他のプレーヤーとネットワークを介して接続されたプレーヤーの制御方法であって、自身を特定するための複数のＩＤを記憶する記憶工程と、記憶した複数のＩＤのうち、１の任意のＩＤを自身のＩＤとして仮決定するＩＤ仮決定工程と、仮決定した任意のＩＤが、１以上の他のプレーヤーに割当てられているか否かを判別するＩＤ判別工程と、ＩＤ判別工程における判別の結果、任意のＩＤが割当てられた他のプレーヤーが存在しない場合、当該任意のＩＤを自身のＩＤとして設定するＩＤ設定工程と、を備えたことを特徴とする。
なお、以下の構成としても良い。
本発明のミキサー装置は、複数のプレーヤーと接続され、当該プレーヤーと制御信号の入出力を行うための複数の接続部と、複数の接続部のうち、いずれか１の接続部にプレーヤーが接続された後、当該プレーヤーから制御信号が入力されたことを検出する入力検出手段と、入力検出手段により検出された１の接続部に予め割り当てられているＩＤを、当該１の接続部に接続されているプレーヤーである対象プレーヤーのＩＤとして決定するＩＤ決定手段と、決定したＩＤを、１の接続部を介して対象プレーヤーに送信するＩＤ送信手段と、を備えたことを特徴とする。
【０００８】
本発明の再生システムは、複数のプレーヤーと、当該複数のプレーヤーと接続されて用いられるミキサー装置と、を有する再生システムであって、ミキサー装置は、複数のプレーヤーと接続され、当該プレーヤーと制御信号の入出力を行うための複数の接続部と、複数の接続部のうち、いずれか１の接続部にプレーヤーが接続された後、当該プレーヤーから制御信号が入力されたことを検出する入力検出手段と、入力検出手段により検出された１の接続部に予め割り当てられているＩＤを、当該１の接続部に接続されているプレーヤーである対象プレーヤーのＩＤとして決定するＩＤ決定手段と、決定したＩＤを、１の接続部を介して対象プレーヤーに送信するＩＤ送信手段と、を備え、対象プレーヤーとして機能するプレーヤーは、ミキサー装置から送信されたＩＤを受信するＩＤ受信手段と、受信したＩＤを自身のＩＤとして設定するＩＤ設定手段と、設定したＩＤを報知するＩＤ報知手段と、を備えたことを特徴とする。
【０００９】
これらの構成によれば、ミキサー装置は、ミキサー装置の接続部に予め割り当てられているＩＤを、その接続部に接続されている対象プレーヤーのＩＤとして設定するため、接続部のＩＤとプレーヤーのＩＤとを同一のＩＤとすることができる。また、プレーヤー側で、ミキサー装置から送信されたＩＤを報知することで、当該プレーヤーがミキサー装置のどの接続部に接続されているのかを、ユーザーが把握することができる。また、接続部のＩＤと同じチャンネルにオーディオケーブルを接続することで、プレーヤーの交換時などに、誤った接続ケーブル（接続部とプレーヤーとを接続するためのケーブル）を抜くなどのトラブルも防止することができる。さらに、設定されたＩＤによって各プレーヤーを識別することができるため、３台以上のプレーヤー間でも、所望の楽曲データが記憶されているメモリを指定することができ、支障なく楽曲データを共有することができる。
なお、プレーヤーは、音声信号を出力するものであっても良いし、映像信号を出力するものであっても良い。
また、ＩＤ報知手段は、プレーヤーに設けられた表示部にＩＤを表示するものであっても良いし、プレーヤーに設けられた複数のインジケータのうちＩＤに対応したインジケータを点灯または点滅するものであっても良い。
【００１０】
上記に記載のミキサー装置において、接続部はＬＡＮポートであり、ＩＤ決定手段は、プレーヤーが接続されたＬＡＮポートのポート番号を、プレーヤーのＩＤとして決定することを特徴とする。
【００１１】
この構成によれば、プレーヤーのＩＤとして、当該プレーヤーが接続されたＬＡＮポートのポート番号を使用することで、ＩＤを生成するなどの煩雑な処理が不要となり、簡単にプレーヤーのＩＤを決定することができる。また、プレーヤーのＩＤとＬＡＮポートのポート番号とが同一であるため、例えば、プレーヤー側でＩＤを報知することで、ユーザーは、そのプレーヤーがどのＬＡＮポートに接続されているのかを容易に把握することができる。
【００１２】
上記に記載のミキサー装置において、複数のプレーヤーによって再生された再生信号を入力するための複数の再生信号入力部をさらに備え、ＬＡＮポートは、接続部および再生信号入力部として機能することを特徴とする。
【００１３】
この構成によれば、ミキサー装置とプレーヤーとの間で行われる、ＩＤの送信と再生信号の入力とを１つのインターフェースで実現することができる。また、ミキサー装置とプレーヤーとを接続する接続ケーブルの本数を半減できるため、ケーブル接続の手間を軽減することができる。さらに、接続部のＩＤとチャンネル番号が一致しないといった問題が無くなるため、プレーヤーの交換時などに、誤った接続ケーブルを抜くなどのトラブルを解消することができる。
【００１４】
本発明の他のミキサー装置は、複数のプレーヤーと接続され、当該プレーヤーと制御信号の入出力を行うための複数の接続部と、複数のプレーヤーから、当該プレーヤーにより再生された再生信号を入力するための複数の再生信号入力部と、複数の接続部のうち、いずれか１の接続部にプレーヤーが接続されたことを検出する接続検出手段と、接続検出手段により検出された１の接続部に接続されているプレーヤーである対象プレーヤーに対し、接続部を介して、再生信号の送信要求を送信する再生信号要求送信手段と、複数の再生信号入力部のうち、いずれか１の再生信号入力部を介して、対象プレーヤーから再生信号を入力する再生信号入力手段と、再生信号を入力した１の再生信号入力部に予め割り当てられているチャンネル番号を、対象プレーヤーのＩＤとして決定するＩＤ決定手段と、決定したＩＤを、接続部を介して対象プレーヤーに送信するＩＤ送信手段と、を備えたことを特徴とする。
【００１５】
本発明の他の再生システムは、複数のプレーヤーと、当該複数のプレーヤーと接続されて用いられるミキサー装置と、を有する再生システムであって、ミキサー装置は、複数のプレーヤーと接続され、当該プレーヤーと制御信号の入出力を行うための複数の接続部と、複数のプレーヤーから、当該プレーヤーにより再生された再生信号を入力するための複数の再生信号入力部と、複数の接続部のうち、いずれか１の接続部にプレーヤーが接続されたことを検出する接続検出手段と、接続検出手段により検出された１の接続部に接続されているプレーヤーである対象プレーヤーに対し、接続部を介して、再生信号の送信要求を送信する再生信号要求送信手段と、複数の再生信号入力部のうち、いずれか１の再生信号入力部を介して、対象プレーヤーから再生信号を入力する再生信号入力手段と、再生信号を入力した１の再生信号入力部に予め割り当てられているチャンネル番号を、対象プレーヤーのＩＤとして決定するＩＤ決定手段と、決定したＩＤを、接続部を介して対象プレーヤーに送信するＩＤ送信手段と、を備え、対象プレーヤーとして機能するプレーヤーは、ミキサー装置から再生信号の送信要求を受信する再生信号要求受信手段と、送信要求を受信した場合、ミキサー装置に対して再生信号を出力する再生信号出力手段と、ミキサー装置から送信されたＩＤを受信するＩＤ受信手段と、受信したＩＤを自身のＩＤとして設定するＩＤ設定手段と、設定したＩＤを報知するＩＤ報知手段と、を備えたことを特徴とする。
【００１６】
これらの構成によれば、ミキサー装置は、プレーヤーから再生信号を入力した再生信号入力部（オーディオチャンネル）のチャンネル番号を、接続が検出された対象プレーヤーのＩＤとして設定するため、チャンネル番号とプレーヤーのＩＤとを同一のＩＤとすることができる。また、プレーヤー側で、ミキサー装置から送信されたＩＤを報知することで、当該プレーヤーがミキサー装置のどのチャンネルに接続されているのかを、ユーザーが把握することができる。また、これにより、プレーヤーの交換時などに、誤ったオーディオケーブルを抜くなどのトラブルも防止することができる。また、接続部とプレーヤーとを接続する接続ケーブルについては、チャンネル番号と合わせる必要が無く、任意の接続部に接続することができる。さらに、設定されたＩＤによって各プレーヤーを識別することができるため、３台以上のプレーヤー間でも、所望の楽曲データが記憶されているメモリを指定することができ、支障なく楽曲データを共有することができる。
なお、再生信号は、音声信号であっても良いし、映像信号であっても良い。
また、「接続部」への接続は、有線接続であっても良いし、無線接続であっても良い。
また、ＩＤ報知手段は、プレーヤーに設けられた表示部にＩＤを表示するものであっても良いし、プレーヤーに設けられた複数のインジケータのうちＩＤに対応したインジケータを点灯または点滅するものであっても良い。
【００１７】
上記に記載のミキサー装置において、再生信号入力手段は、再生信号と共に、対象プレーヤーの固有情報を入力し、ＩＤ送信手段は、固有情報によって特定される対象プレーヤーに対し、ＩＤを送信することを特徴とする。
【００１８】
この構成によれば、複数の接続部のうちいずれか２以上の接続部に、同時にプレーヤーが接続された場合でも、固有情報によってプレーヤーを識別できるため、確実にチャンネル番号とプレーヤーのＩＤとを一致させることができる。
なお、「固有情報」としては、ＭＡＣアドレスやＩＰアドレスなどを採用可能である。
【００１９】
本発明の他のミキサー装置は、複数のプレーヤーと接続され、当該プレーヤーと制御信号の入出力を行うための複数の接続部と、複数のプレーヤーから、特定情報を入力するための複数の特定情報入力部と、複数の接続部のうち、いずれか１の接続部にプレーヤーが接続されたことを検出する接続検出手段と、接続検出手段により検出された１の接続部に接続されているプレーヤーである対象プレーヤーに対し、接続部を介して、特定情報の送信要求を送信する特定情報要求送信手段と、複数の特定情報入力部のうち、いずれか１の特定情報入力部を介して、対象プレーヤーから特定情報を入力する特定情報入力手段と、特定情報を入力した１の特定情報入力部に予め割り当てられているチャンネル番号を、対象プレーヤーのＩＤとして決定するＩＤ決定手段と、決定したＩＤを、接続部を介して対象プレーヤーに送信するＩＤ送信手段と、を備えたことを特徴とする。
【００２０】
本発明の他の再生システムは、複数のプレーヤーと、当該複数のプレーヤーと接続されて用いられるミキサー装置と、を有する再生システムであって、ミキサー装置は、複数のプレーヤーと接続され、当該プレーヤーと制御信号の入出力を行うための複数の接続部と、複数のプレーヤーから、特定情報を入力するための複数の特定情報入力部と、複数の接続部のうち、いずれか１の接続部にプレーヤーが接続されたことを検出する接続検出手段と、接続検出手段により検出された１の接続部に接続されているプレーヤーである対象プレーヤーに対し、接続部を介して、特定情報の送信要求を送信する特定情報要求送信手段と、複数の特定情報入力部のうち、いずれか１の特定情報入力部を介して、対象プレーヤーから特定情報を入力する特定情報入力手段と、特定情報を入力した１の特定情報入力部に予め割り当てられているチャンネル番号を、対象プレーヤーのＩＤとして決定するＩＤ決定手段と、決定したＩＤを、接続部を介して対象プレーヤーに送信するＩＤ送信手段と、を備え、対象プレーヤーとして機能するプレーヤーは、ミキサー装置から特定情報の送信要求を受信する特定情報要求受信手段と、送信要求を受信した場合、ミキサー装置に対して特定情報を出力する特定情報出力手段と、ミキサー装置から送信されたＩＤを受信するＩＤ受信手段と、受信したＩＤを自身のＩＤとして設定するＩＤ設定手段と、設定したＩＤを報知するＩＤ報知手段と、を備えたことを特徴とする。
【００２１】
これらの構成によれば、ミキサー装置は、プレーヤーから特定情報を入力した特定情報入力部のチャンネル番号を、接続が検出された対象プレーヤーのＩＤとして設定するため、チャンネル番号とプレーヤーのＩＤとを同一のＩＤとすることができる。また、プレーヤー側で、ミキサー装置から送信されたＩＤを報知することで、当該プレーヤーがミキサー装置のどのチャンネルに接続されているのかを、ユーザーが把握することができる。また、これにより、プレーヤーの交換時などに、誤ったオーディオケーブルを抜くなどのトラブルも防止することができる。また、接続部とプレーヤーとを接続する接続ケーブルについては、チャンネル番号と合わせる必要が無く、任意の接続部に接続することができる。さらに、設定されたＩＤによって各プレーヤーを識別することができるため、３台以上のプレーヤー間でも、所望の楽曲データが記憶されているメモリを指定することができ、支障なく楽曲データを共有することができる。
なお、プレーヤーは、音声信号を出力するものであっても良いし、映像信号を出力するものであっても良い。
また、「接続部」への接続は、有線接続であっても良いし、無線接続であっても良い。
また、ＩＤ報知手段は、プレーヤーに設けられた表示部にＩＤを表示するものであっても良いし、プレーヤーに設けられた複数のインジケータのうちＩＤに対応したインジケータを点灯または点滅するものであっても良い。
また、「特定情報」としては、ユーザーデータビットやチャンネルステータスビットなどを採用可能である。
【００２２】
上記に記載のミキサー装置において、特定情報要求送信手段は、接続検出手段により検出された１の接続部に応じた特定情報の送信要求を送信し、ＩＤ送信手段は、特定情報入力手段により入力された特定情報に対応した接続部を介して、ＩＤを送信することを特徴とする。
【００２３】
この構成によれば、複数の接続部のうちいずれか２以上の接続部に、同時にプレーヤーが接続された場合でも、入力された特定情報に応じて、ＩＤを送信すべき接続部を判別可能であるため、確実にチャンネル番号とプレーヤーのＩＤとを一致させることができる。
【００２４】
上記に記載の再生システムにおいて、プレーヤーが、１以上の他のプレーヤーとネットワーク接続されている場合、プレーヤーは、自身を特定するための複数のＩＤを記憶する記憶手段と、記憶した複数のＩＤのうち、１の任意のＩＤを自身のＩＤとして仮決定するＩＤ仮決定手段と、仮決定した任意のＩＤが、他のプレーヤーに割当てられているか否かを判別するＩＤ判別手段と、をさらに備え、ＩＤ設定手段は、ＩＤ判別手段による判別の結果、任意のＩＤが割当てられた他のプレーヤーが存在しない場合、当該任意のＩＤを自身のＩＤとして設定することを特徴とする。
【００２５】
この構成によれば、ミキサー装置を介さず、プレーヤーのみで自身を特定するためのＩＤを設定することができる。つまり、ミキサー装置に、各プレーヤーに対してＩＤを設定する機能が無い場合でも、各プレーヤーを識別するためのＩＤを設定することができる。
【００２６】
上記に記載の再生システムにおいて、ＩＤ報知手段は、設定したプレーヤー自身のＩＤだけでなく、当該プレーヤーに接続された他のプレーヤーのＩＤ一覧を報知することを特徴とする。
【００２７】
この構成によれば、接続関係にある他のプレーヤーのＩＤ一覧を報知するため、ユーザーは、ＩＤ一覧からプレーヤーを指定することができ、ひいては、所望の楽曲データを容易に選択することができる。
【００２８】
本発明のプレーヤーは、上記に記載の再生システムに適用されることを特徴とする。
【００２９】
本発明のプログラムは、コンピューターを、上記に記載の再生システムにおけるミキサー装置またはプレーヤーの各手段として機能させるためのものであることを特徴とする。
【００３０】
これらのプレーヤーおよびプログラムを用いることにより、ミキサー装置とプレーヤーとの接続関係をユーザーが把握できること、並びに各プレーヤーを識別することができること、の２つの効果を奏し得る再生システムを実現することができる。
【図面の簡単な説明】
【００３１】
【図１】第１実施形態に係る再生システムの簡易構成図である。
【図２】第１実施形態に係る再生システムの機能ブロック図である。
【図３】第１実施形態に係る再生システムのＩＤ設定処理を示すフローチャートである。
【図４】プレーヤーに設けられたディスプレイの表示例を示す図である。
【図５】第１実施形態に係る再生システムの変形例を示す簡易構成図である。
【図６】第２実施形態に係る再生システムの機能ブロック図である。
【図７】第２実施形態に係る再生システムのＩＤ設定処理を示すフローチャートである。
【図８】第３実施形態に係る再生システムの機能ブロック図である。
【図９】第４実施形態に係る再生システムの簡易構成図である。
【図１０】第４実施形態に係るプレーヤーの機能ブロック図である。
【図１１】第４実施形態に係るプレーヤーのＩＤ設定処理を示すフローチャートである。
【発明を実施するための形態】
【００３２】
［第１実施形態］
以下、本発明の一実施形態に係るプレーヤー、ミキサー装置、再生システム、プログラム、プレーヤーの制御方法について、添付図面を参照しながら詳細に説明する。図１は、第１実施形態に係る再生システムＳＹの簡易構成図である。同図に示すように、再生システムＳＹは、複数台（図示では、２台）のプレーヤー１０と、各プレーヤー１０から取得した再生信号の出力制御を行うミキサー装置２０と、から成る。なお、本実施形態の再生システムＳＹは、オーディオシステムであり、プレーヤー１０は音声信号を出力するものとする。
【００３３】
プレーヤー１０は、ＵＳＢメモリ１５（図４参照）、ＣＤ、ＳＤメモリカードなどの各種デバイスを挿入可能となっており、これら各デバイスから楽曲を読み出して再生する。また、ジョグダイヤルなどの操作子（図示省略）を有し、ユーザーの操作に基づいて、再生状態の調節や、エフェクト効果の付加などの再生処理を行う。
【００３４】
また、同図に示すように、プレーヤー１０は、ミキサー装置２０とＬＡＮ接続するためのＬＡＮ端子１１と、楽曲を再生することによって生成される音声信号をミキサー装置２０に出力するための音声出力端子１２と、各種情報を表示するためのディスプレイ１３と、を備えている。
【００３５】
プレーヤー１０は、ＬＡＮ端子１１を介して、ミキサー装置２０からコントロール信号を取得する。具体的には、フェーダースタートプレイやバックキューなどの信号である。また、他のプレーヤー１０のＬＡＮ端子１１と接続して、自動交互再生（リレープレイ）を行うことも可能である。さらに、本実施形態では、ミキサー装置２０からＩＤを取得するためにも用いられる。取得したＩＤは、自動交互再生や楽曲データの共有を行う際、各プレーヤー１０を識別できるように設定される。また、ＩＤは、ユーザーがミキサー装置２０と各プレーヤー１０との接続関係を把握できるように、ディスプレイ１３に表示される。
【００３６】
一方、ミキサー装置２０は、チャンネルフェーダーやクロスフェーダーなどの操作子（図示省略）を有し、各プレーヤー１０から入力された再生信号の混合処理などを行う。また、ミキサー装置２０は、アンプおよびスピーカーを有する不図示の出力装置と、不図示のオーディオケーブルを介して接続され、混合処理後の音声信号を当該出力装置に出力する。
【００３７】
また、同図に示すように、ミキサー装置２０は、各プレーヤー１０とＬＡＮ接続するための複数のＬＡＮポート２１（接続部）と、各プレーヤー１０から音声信号を取得するための複数のオーディオポート（以下、「オーディオチャンネル」と称する）２２（再生信号入力部）と、を備えている。ミキサー装置２０のＬＡＮポート２１は、各プレーヤー１０のＬＡＮ端子１１と、ＬＡＮケーブル３１を介して接続される。ＬＡＮケーブル３１としては、イーサネット（登録商標）ケーブルなどが用いられる。また、ミキサー装置２０のオーディオチャンネル２２は、各プレーヤー１０の音声出力端子１２と、オーディオケーブル３２を介して接続される。オーディオケーブル３２としては、ＨＤＭＩケーブルやＲＣＡケーブルなどが用いられる。
【００３８】
次に、図２を参照し、再生システムＳＹの機能構成について説明する。ミキサー装置２０は、主な機能構成として、入力検出手段２１０と、ＩＤ決定手段２２０と、ＩＤ送信手段２３０と、を備えている。
【００３９】
入力検出手段２１０は、ミキサー装置２０に搭載された複数のＬＡＮポート２１のうち、いずれか１のＬＡＮポート２１にプレーヤー１０が接続された後、当該プレーヤー１０からフレーム（制御信号）が入力されたことを検出する。入力検出手段２１０による検出は、ミキサー装置２０に内蔵されているスイッチングハブ２３の機能を利用する。スイッチングハブ２３は、ポート単位で接続されている機器を管理しているため、プレーヤー１０が接続された後、プレーヤー１０からのフレームを受信することにより、そのフレームがスイッチングハブ２３のどのポートを経由してきたかを判別することができる。つまり、プレーヤー１０が接続された１のＬＡＮポート２１を特定することができる。
【００４０】
ＩＤ決定手段２２０は、入力検出手段２１０により検出された１のＬＡＮポート２１に予め割り当てられているＩＤを、当該１のＬＡＮポート２１に接続されているプレーヤー１０である対象プレーヤーのＩＤとして決定する。つまり、フレームを受信した入力ポートの番号を、そのままプレーヤー１０のＩＤとして決定する。
【００４１】
ＩＤ送信手段２３０は、ＩＤ決定手段２２０により決定されたＩＤを、入力検出手段２１０により検出された１のＬＡＮポート２１を介して、上記の対象プレーヤーに送信する。
【００４２】
続いて、プレーヤー１０（対象プレーヤー）の機能構成について説明する。プレーヤー１０は、主な機能構成として、ＩＤ受信手段１１０と、ＩＤ設定手段１２０と、ＩＤ報知手段１３０と、を備えている。
【００４３】
ＩＤ受信手段１１０は、ミキサー装置２０のＩＤ送信手段２３０から送信されたＩＤを、ＬＡＮ端子１１を介して受信する。
【００４４】
ＩＤ設定手段１２０は、ＩＤ受信手段１１０により受信したＩＤを、自身のＩＤとして設定する。具体的には、プレーヤー１０に内蔵されたメモリ１４に、受信したＩＤを記録する。
【００４５】
ＩＤ報知手段１３０は、ＩＤ設定手段１２０により設定したＩＤを、ディスプレイ１３に表示することによって報知する。当該報知は、ＩＤ設定後、プレーヤー１０の電源が切断されるまで続行される（表示され続ける）。なお、ＩＤ報知手段１３０による報知は、プレーヤー１０に複数のインジケータを設け、これら複数のインジケータのうちＩＤに対応したインジケータを点灯または点滅することによって行っても良い。また、音声報知を行っても良い。
【００４６】
次に、図３のフローチャートを参照し、第１実施形態に係る再生システムＳＹのＩＤ設定処理の流れについて説明する。まず、ミキサー装置２０は、プレーヤー１０が接続され（Ｓ０１）、プレーヤー１０からフレームの入力を検出すると（Ｓ０２）、スイッチングハブ２３の機能により、当該フレームが入力された入力ポート（ＬＡＮポート２１）を判別する（Ｓ０３）。その判別結果から、入力ポートの番号をＩＤとして決定し（Ｓ０４）、フレームが入力された入力ポートに接続されている対象プレーヤーに対して、決定したＩＤを送信する（Ｓ０５）。
【００４７】
一方、プレーヤー１０は、ミキサー装置２０からＩＤを受信すると（Ｓ０６）、受信したＩＤを自身のＩＤとして設定すると共に（Ｓ０７）、当該ＩＤをディスプレイ１３に表示する（Ｓ０８）。
【００４８】
このように、本実施形態の再生システムＳＹは、ミキサー装置２０にプレーヤー１０を接続するだけで、容易に各プレーヤー１０を識別可能なＩＤを設定することができる。なお、ミキサー装置２０に複数台のプレーヤー１０が接続されている場合は、フレームの入力を検出した順に（Ｓ０２の検出ごとに）、各プレーヤー１０のＩＤを順次設定していくこととなる。
【００４９】
次に、図４を参照し、ディスプレイ１３の表示例について説明する。ここでは、ミキサー装置２０と、３台のプレーヤー１０が、ＬＡＮケーブル３１を介してＬＡＮ接続されており、各プレーヤー１０にＵＳＢメモリ１５が挿入されている場合を例示している。また、各プレーヤー１０は、楽曲データの共有が可能であるものとする。
【００５０】
この場合、例えば「プレーヤー１」のディスプレイ１３には、上記のＩＤ報知手段１３０により、「プレーヤー１」に設定されたＩＤ（同図の例では、「ＩＤ：１」）が表示される。また、「プレーヤー１」以外の他プレーヤー１０に挿入されたデバイス（ＵＳＢメモリ１５）の一覧が、各プレーヤー１０のＩＤと共に表示される。当該各プレーヤー１０のＩＤは、ミキサー装置２０から取得した情報である。つまり、ミキサー装置２０は、各プレーヤー１０に対してＩＤを設定した後、設定したＩＤと、挿入されているデバイスに関する情報とを、各プレーヤー１０に対して送信する。なお、プレーヤー１０から、ミキサー装置２０に対して問い合わせを行い、その問い合わせに対して、ミキサー装置２０が、ＩＤおよびデバイスに関する情報を、提供するようにしても良い。また、各プレーヤー１０が、他のプレーヤー１０に対し、自身に設定されているＩＤと、自身に挿入されているデバイスと、に関する情報を通知するようにしても良い。
【００５１】
この構成により、例えば、「プレーヤー１」で、「プレーヤー２」に挿入されたＵＳＢメモリ１５の楽曲データを読み出したい場合、デバイス一覧の中から、対象デバイス（同図の例では、「プレーヤー２：ＵＳＢ」）を選択することで、対象デバイスの中身を参照することができる。
【００５２】
また、プレーヤー１０は、ユーザーの操作により対象デバイスが選択されると、そのデバイスに格納されている楽曲の曲情報（メタデータ）をディスプレイ１３に表示する。したがって、ユーザーは、それら曲情報のリストの中から、いずれか１の曲情報を選択することにより、「プレーヤー１」に所望の楽曲データを取得させることができる。
【００５３】
なお、１台のプレーヤー１０に、複数種類のデバイスが挿入されている場合、デバイス一覧には、そのデバイス毎に選択候補を表示する（例えば、「プレーヤー２：ＵＳＢ」、「プレーヤー２：ＳＤ」など）。また、デバイス一覧の表示は、プレーヤー１０の起動中、常に表示される構成としても良いし、ユーザーが所定の操作を行ったときに、一時的に表示される構成としても良い。
【００５４】
以上説明したとおり、本発明の第１実施形態によれば、ミキサー装置２０は、各ＬＡＮポート２１に予め割り当てられている番号を、そのＬＡＮポート２１に接続されている対象プレーヤーのＩＤとして設定するため、ＬＡＮポート２１のＩＤとプレーヤー１０のＩＤとを同一のＩＤとすることができる。また、プレーヤー１０側では、ミキサー装置２０から送信されたＩＤを報知するため、当該プレーヤー１０がミキサー装置２０のどのＬＡＮポート２１に接続されているのかを、ユーザーが把握することができる。したがって、ＬＡＮポート２１のＩＤと同じチャンネルにオーディオケーブル３２を接続するようにすれば、プレーヤー１０の交換時などに、誤ったＬＡＮケーブル３１を抜いてしまうなどのトラブルを防止することができる。
【００５５】
さらに、各プレーヤー１０のディスプレイ１３上に表示されたＩＤによって、各プレーヤー１０を識別することができるため、３台以上のプレーヤー１０間で楽曲データを共有する場合でも、容易に所望の楽曲データを選択することができる。
【００５６】
なお、上記の実施形態で例示した再生システムＳＹは、ミキサー装置２０と各プレーヤー１０が、ＬＡＮケーブル３１およびオーディオケーブル３２を介して接続される構成であったが、ＬＡＮケーブル３１とオーディオケーブル３２を共通化することも可能である。この場合、プレーヤー１０の音声出力端子１２およびオーディオケーブル３２は不要となり、図５に示すように、ＬＡＮケーブル３１を介して、音声信号の送受信を行うこととなる。プレーヤー１０は、ＩＤ設定後、設定されたＩＤを音声信号と共にミキサー装置２０に送信することで、ミキサー装置２０では、オーディオチャンネル毎に音声信号を処理することが可能である。なお、ミキサー装置２０側で、ＬＡＮポート２１とオーディオチャンネル２２を対応付けて記憶しておく構成とすれば、プレーヤー１０から、音声信号と共にＩＤを送信する必要は無い。
【００５７】
このように、図５に示した構成によれば、ミキサー装置２０とプレーヤー１０との間で行われる、ＩＤの送信と音声信号の入力とを１つのインターフェースで実現できるため、これらを別個のインターフェースで実現する場合に比べ、これにかかるコストを削減することができる。また、ミキサー装置２０とプレーヤー１０とを接続する接続ケーブルの本数を半減できるため、ケーブル接続の手間を軽減することができる。さらに、ＬＡＮポート２１に基づいてＩＤを決定し、当該ＩＤをそのままオーディオチャンネル２２として利用することができるため、ＬＡＮポート２１のＩＤとチャンネル番号とを常に一致させることができ、プレーヤー１０の交換時などに、誤ったＬＡＮケーブル３１を抜いてしまうなどのトラブルを解消することができる。
【００５８】
［第２実施形態］
次に、図６および図７を参照し、本発明の第２実施形態について説明する。上記の第１実施形態では、ミキサー装置２０が、ＬＡＮポート２１に基づいてＩＤを決定しているが、本実施形態では、オーディオチャンネル２２に基づいてＩＤを決定する点で異なる。以下、第１実施形態と異なる点を中心に説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５９】
図６は、第２実施形態に係る再生システムＳＹの機能ブロック図である。本実施形態のミキサー装置２０は、主な機能構成として、接続検出手段２４０と、再生信号要求送信手段２５０と、再生信号入力手段２６０と、ＩＤ決定手段２７０と、ＩＤ送信手段２３０と、を備えている。
【００６０】
接続検出手段２４０は、複数のＬＡＮポート２１のうち、いずれか１のＬＡＮポート２１にプレーヤー１０が接続されたことを検出する。
【００６１】
再生信号要求送信手段２５０は、接続検出手段２４０による検出をトリガとして、接続が検出された上記１のＬＡＮポート２１に接続されているプレーヤー１０である対象プレーヤーに対し、ＬＡＮポート２１を介して、特定の音声信号の送信要求を送信する。特定の音声信号とは、例えば、「○○秒間連続する○○ｋＨｚの音声信号」など、予め定められた信号を指す。当該特定の音声信号は、プレーヤー１０に予め記憶されているものである。
【００６２】
再生信号入力手段２６０は、ミキサー装置２０に設けられた複数のオーディオチャンネル２２のうち、いずれか１のオーディオチャンネル２２を介して、上記の対象プレーヤーから特定の音声信号を入力する。
【００６３】
ＩＤ決定手段２７０は、特定の音声信号を入力したオーディオチャンネル２２に予め割り当てられているチャンネル番号を、対象プレーヤーのＩＤとして決定する。ＩＤ送信手段２３０は、第１実施形態と同様に、ＩＤ決定手段２７０により決定されたＩＤを、対象プレーヤーに送信する。
【００６４】
一方、本実施形態のプレーヤー１０は、主な機能構成として、再生信号要求受信手段１４０と、再生信号出力手段１５０と、ＩＤ受信手段１１０と、ＩＤ設定手段１２０と、ＩＤ報知手段１３０と、を備えている。
【００６５】
再生信号要求受信手段１４０は、ミキサー装置２０から、ＬＡＮ端子１１を介して特定の音声信号の送信要求を受信する。
【００６６】
再生信号出力手段１５０は、再生信号要求受信手段１４０により特定の音声信号の送信要求を受信した場合、ミキサー装置２０に対し、音声出力端子１２を介して、予め記憶しておいた特定の音声信号を出力する。ＩＤ受信手段１１０、ＩＤ設定手段１２０およびＩＤ報知手段１３０については、第１実施形態と同様に機能する。
【００６７】
図７は、第２実施形態に係る再生システムＳＹのＩＤ設定処理を示すフローチャートである。まず、ミキサー装置２０は、プレーヤー１０の接続を検出すると（Ｓ１１）、当該プレーヤー１０である対象プレーヤーに対し、ＬＡＮポート２１を介して音声信号要求を送信する（Ｓ１２）。プレーヤー１０（対象プレーヤー）は、ミキサー装置２０から音声信号要求を受信すると（Ｓ１３）、ミキサー装置２０に対し、特定の音声信号を出力する（Ｓ１４）。
【００６８】
ミキサー装置２０は、プレーヤー１０から特定の音声信号を入力すると（Ｓ１５）、音声信号が入力されたオーディオチャンネル２２を判別する（Ｓ１６）。また、入力されたオーディオチャンネル２２のチャンネル番号をＩＤとして決定し（Ｓ１７）、接続を検出したＬＡＮポート２１を介して、当該ＩＤを送信する（Ｓ１８）。プレーヤー１０は、ミキサー装置２０からＩＤを受信すると（Ｓ１９）、受信したＩＤを自身のＩＤとして設定すると共に（Ｓ２０）、当該ＩＤをディスプレイ１３に表示する（Ｓ２１）。
【００６９】
なお、ミキサー装置２０に複数台のプレーヤー１０が接続されている場合は、プレーヤー１０の接続を検出した順に（Ｓ１１の検出ごとに）、各プレーヤー１０のＩＤを順次設定していくこととなる。
【００７０】
以上説明したとおり、本発明の第２実施形態によれば、ミキサー装置２０は、プレーヤー１０から音声信号を入力したオーディオチャンネル２２のチャンネル番号を、接続が検出された対象プレーヤーのＩＤとして設定するため、チャンネル番号とプレーヤー１０のＩＤとを同一のＩＤとすることができる。また、プレーヤー１０側では、ミキサー装置２０から送信されたＩＤを報知するため、そのプレーヤー１０がミキサー装置２０のどのチャンネルに接続されているのかを、ユーザーが把握することができる。これにより、プレーヤー１０の交換時などに、誤ったオーディオケーブル３２を抜くなどのトラブルを防止することができる。また、プレーヤー１０とＬＡＮケーブル３１によって接続されるＬＡＮポート２１については、チャンネル番号と合わせる必要が無く、任意のＬＡＮポート２１に接続することができる。
【００７１】
なお、上記の実施形態では、プレーヤー１０の接続を検出した順に、各プレーヤー１０のＩＤを順次設定していくものとしたが、プレーヤー１０が同時に接続された場合に、正確なＩＤを設定できない虞がある。そこで、プレーヤー１０の再生信号出力手段１５０において、電子透かしを利用し、音声信号にＭＡＣアドレス（固有情報）を含ませて出力することが好ましい。この場合、ミキサー装置２０の再生信号入力手段２６０は、ＭＡＣアドレスが含まれた音声信号を入力し、ＩＤ送信手段２３０は、音声信号に含まれるＭＡＣアドレスの機器宛に、入力チャンネルに対応したＩＤを送信することとなる。この構成によれば、同時にプレーヤー１０が接続された場合でも、確実にオーディオチャンネル２２のチャンネル番号とプレーヤー１０のＩＤとを一致させることができる。
【００７２】
なお、電子透かしによって音声信号に含ませる（付加する）固有情報としては、ＭＡＣアドレス以外にＩＰアドレスなどを採用可能である。また、入出力インターフェース規格として、ＨＤＭＩを採用した場合（オーディオケーブル３２としてＨＤＭＩケーブルを利用した場合）、再生信号出力手段１５０は、制御用の信号線を用いて、固有情報を出力可能である。
【００７３】
また、プレーヤー１０が同時に接続された場合の対応策として、接続検出手段２４０により検出されたＬＡＮポート２１に応じた音声信号の送信要求を送信するようにしても良い。例えば、特定の音声信号「○○秒間連続する○○ｋＨｚの音声信号」の、○○の値（音声信号の長さおよび／または周波数）を、ＬＡＮポート２１毎に異なる値にしても良い。すなわち、ミキサー装置２０が「ＬＡＮポート１」への接続を検出したときは、１９ｋＨｚの音声信号を要求し、「ＬＡＮポート２」への接続を検出したときは、２０ｋＨｚの音声信号を要求すれば良い。
【００７４】
［第３実施形態］
次に、図８を参照し、本発明の第３実施形態について説明する。上記の第２実施形態では、音声信号の入力チャンネルに基づいてＩＤを決定したが、本実施形態では、特定情報の入力チャンネルに基づいてＩＤを決定する点で異なる。以下、第２実施形態と異なる点を中心に説明する。なお、本実施形態において、第１実施形態および／または第２実施形態と同様の構成部分については同様の符号を付し、詳細な説明を省略する。また、第１実施形態および／または第２実施形態と同様の構成部分について適用される変形例は、本実施形態についても同様に適用される。
【００７５】
図８は、第３実施形態に係る再生システムＳＹの機能ブロック図である。本実施形態のミキサー装置２０は、第２実施形態のミキサー装置２０（図６参照）に対し、再生信号要求送信手段２５０および再生信号入力手段２６０が、特定情報要求送信手段２８０および特定情報入力手段２９０に変更された構成となっている。これに伴い、プレーヤー１０の再生信号要求受信手段１４０および再生信号出力手段１５０も、特定情報要求受信手段１６０および特定情報出力手段１７０に変更されている。
【００７６】
ミキサー装置２０の特定情報要求送信手段２８０は、接続検出手段２４０による検出をトリガとして、接続が検出されたＬＡＮポート２１に接続されているプレーヤー１０である対象プレーヤーに対し、ＬＡＮポート２１を介して、特定情報の送信要求を送信する。特定情報としては、デバイスの再生位置などを示す「ユーザーデータビット」や、著作権情報などを示す「チャンネルステータスビット」などを採用可能である。
【００７７】
これに対し、プレーヤー１０の特定情報要求受信手段１６０は、ミキサー装置２０から、ＬＡＮ端子１１を介して特定情報の送信要求を受信する。また、特定情報出力手段１７０は、特定情報要求受信手段１６０により特定情報の送信要求を受信した場合、ミキサー装置２０に対し、音声出力端子１２を介して、特定情報を出力する。
【００７８】
また、ミキサー装置２０の特定情報入力手段２９０は、ミキサー装置２０に設けられた複数のオーディオチャンネル２２のうち、いずれか１のオーディオチャンネル２２を介して、上記の対象プレーヤーから特定情報を入力する。
【００７９】
また、本実施形態のＩＤ決定手段２７０は、第２実施形態と同様に、特定情報を入力したオーディオチャンネル２２（特定情報入力部）に予め割り当てられているチャンネル番号を、対象プレーヤーのＩＤとして決定し、ＩＤ送信手段２３０は、ＩＤ決定手段２７０にて決定されたＩＤを、対象プレーヤーに送信する。
【００８０】
なお、第３実施形態に係る再生システムＳＹのＩＤ設定処理は、第２実施形態に係る再生システムＳＹのＩＤ設定処理（図７参照）の、「音声信号」の文言を「特定情報」に置き換えることにより実現可能であるため、フローチャートの図示および説明を省略する。
【００８１】
以上説明したとおり、本発明の第３実施形態によれば、ミキサー装置２０は、プレーヤー１０から特定情報を入力したオーディオチャンネル２２のチャンネル番号を、接続が検出された対象プレーヤーのＩＤとして設定する。これにより、第２実施形態と同様の作用・効果を奏することができる。
【００８２】
なお、第３実施形態においても、プレーヤー１０の接続を検出した順に、各プレーヤー１０のＩＤを順次設定していくこととなるが、プレーヤー１０が同時に接続された場合には、第２実施形態と同様に、正確なＩＤを設定できないといった問題がある。そこで、ミキサー装置２０の特定情報要求送信手段２８０において、接続検出手段２４０により検出されたＬＡＮポート２１に応じた特定情報の送信要求を送信するようにしても良い。例えば、特定情報として、チャンネルステータスビットを採用した場合であって、ミキサー装置２０が「ＬＡＮポート１」への接続を検出したときは、チャンネルステータスの３３ビット目をＯＮするように要求し、「ＬＡＮポート２」への接続を検出したときは、チャンネルステータスの３４ビット目をＯＮするように要求すれば良い。
【００８３】
この場合、プレーヤー１０の特定情報出力手段１７０は、ミキサー装置２０からの要求に応じたチャンネルステータスを出力することとなる。また、ミキサー装置２０のＩＤ送信手段２３０は、特定情報入力手段２９０により入力されたチャンネルステータスビットに対応したＬＡＮポート２１（例えば、３３ビット目がＯＮであれば、「ＬＡＮポート１」）を介して、ＩＤを送信する。この構成によれば、同時にプレーヤー１０が接続された場合でも、入力された特定情報に応じて、ＩＤを送信すべきＬＡＮポート２１を判別可能であるため、確実にオーディオチャンネル２２のチャンネル番号とプレーヤー１０のＩＤとを一致させることができる。
【００８４】
なお、特定情報として、ユーザーデータビットを採用した場合も、ユーザーデータビットをＯＮ／ＯＦＦする位置で、接続されているオーディオチャンネル２２を区別可能である。また、本実施形態では、入出力インターフェース規格として、Ｓ／ＰＤＩＦを採用可能である。
【００８５】
［第４実施形態］
次に、図９ないし図１１を参照し、本発明の第４実施形態について説明する。上記の第１実施形態ないし第３実施形態では、ミキサー装置２０が主体となってＩＤを設定したが、本実施形態では、プレーヤー１０自身でＩＤを設定する点で異なる。以下、上記の各実施形態と異なる点を中心に説明する。なお、本実施形態において、上記の各実施形態と同様の構成部分については同様の符号を付し、詳細な説明を省略する。また、上記の各実施形態と同様の構成部分について適用される変形例は、本実施形態についても同様に適用される。
【００８６】
図９は、第４実施形態に係る再生システムＳＹの簡易構成図である。同図に示すように、本実施形態の再生システムＳＹは、各プレーヤー１０が、ＬＡＮケーブル３１およびハブ３３を介して接続されている。また、各プレーヤー１０は、オーディオケーブル３２を介して、それぞれミキサー装置２０と、１対１接続されている。なお、本実施形態では、上記の通り、プレーヤー１０自身でＩＤを設定するため、ミキサー装置２０自体に、ＩＤ設定機能が搭載されている必要はない。つまり、既存のミキサー装置２０を適用可能である。
【００８７】
図１０は、第４実施形態に係るプレーヤー１０の機能ブロック図である。本実施形態のプレーヤー１０は、主な機能構成として、記憶手段３１０と、ＩＤ仮決定手段３２０と、ＩＤ判別手段３３０と、ＩＤ設定手段３４０と、ＩＤ報知手段１３０と、を備えている。
【００８８】
記憶手段３１０は、自身を特定するための複数のＩＤを記憶する。つまり、ＩＤとして、「１」〜「２０」など、複数の数値を記憶している。ＩＤ仮決定手段３２０は、記憶手段３１０に記憶されている複数のＩＤのうち、１の任意のＩＤを自身のＩＤとして仮決定する。本実施形態では、「１」から順に仮決定していくものとする。
【００８９】
ＩＤ判別手段３３０は、ＩＤ仮決定手段３２０により仮決定された任意のＩＤが、他のプレーヤー１０に割当てられているか否かを判別する。なお、他のプレーヤー１０に割当てられていると判別した場合は、ＩＤ仮決定手段３２０により、異なるＩＤを仮決定して、再度判別を行う。
【００９０】
ＩＤ設定手段３４０は、ＩＤ判別手段３３０による判別の結果、任意のＩＤが割当てられた他のプレーヤー１０が存在しない場合、当該任意のＩＤを自身のＩＤとして設定する（メモリ１４に記憶する）。また、ＩＤ報知手段１３０は、上記の各実施形態と同様に、ディスプレイ１３上にＩＤを表示する。
【００９１】
図１１は、第４実施形態に係るプレーヤー１０のＩＤ設定処理を示すフローチャートである。プレーヤー１０は、電源ボタン（図示省略）の押下等によって起動されると（Ｓ３１）、記憶手段３１０に記憶されている複数のＩＤの中から、いずれか１のＩＤを仮決定する（Ｓ３２）。また、ＬＡＮ接続されている他のプレーヤー１０に対し、仮決定したＩＤを送信し（Ｓ３３）、他のプレーヤー１０から許可信号または非許可信号を受信する（Ｓ３４）。
【００９２】
ここで、接続されている全てのプレーヤー１０から許可信号を受信した場合（若しくは、全てのプレーヤー１０から非許可信号を受信しなかった場合）、仮決定したＩＤを自身のＩＤとして決定する（Ｓ３５）。その後、仮決定したＩＤを設定し（Ｓ３６）、設定したＩＤをディスプレイ１３上に表示する（Ｓ３７）。
【００９３】
以上説明したとおり、本発明の第４実施形態によれば、ミキサー装置２０を介さず、プレーヤー１０のみで自身を特定するためのＩＤを設定することができる。つまり、既存のミキサー装置２０を用いた場合など、ミキサー装置２０にＩＤ設定機能が搭載されていない場合でも、各プレーヤー１０を識別するためのＩＤを設定することができる。
【００９４】
なお、上記の実施形態では、プレーヤー１０の起動をトリガとして、ＩＤ設定処理を開始するものとしたが、ユーザーによる所定の操作（例えば、ＩＤ設定ボタンの押下など）をトリガとして、処理を開始するようにしても良い。
【００９５】
また、ミキサー装置２０に、ＩＤ設定機能が搭載されている場合、ミキサー装置２０から送信されたＩＤをメモリ１４内で上書きし、ディスプレイ表示を更新できるようにしても良い。
【００９６】
また、プレーヤー１０によってＩＤを設定するか（第４実施形態）、ミキサー装置２０によってＩＤを設定するか（第１〜第３実施形態）、について、ユーザーが選択可能としても良い。また、ミキサー装置２０によってＩＤを設定する場合は、ＬＡＮポート２１に基づいてＩＤを設定するか（第１実施形態）、オーディオチャンネル２２に基づいてＩＤを設定するか（第２，３実施形態）、についても選択可能としても良い。さらに、オーディオチャンネル２２に基づいてＩＤを設定する場合は、音声信号を利用するか（第２実施形態）、特定情報を利用するか（第３実施形態）、についても選択可能としても良い。
【００９７】
また、上記の各実施形態に示したプレーヤー１０やミキサー装置２０の各構成要素をプログラムとして提供することが可能である。また、そのプログラムを各種記録媒体（ＣＤ−ＲＯＭ、フラッシュメモリ等）に格納して提供することも可能である。すなわち、コンピューターを、プレーヤー１０やミキサー装置２０の各構成要素として機能させるためのプログラム、およびそれを記録した記録媒体も、本発明の権利範囲に含まれるものである。
【００９８】
なお、上記の各実施形態では、プレーヤー１０から出力される再生信号として音声信号を例示したが、映像信号であっても良い。つまり、映像機器に、本発明を適用しても良い。但し、本発明を映像機器に適用する場合であって、第２実施形態および第３実施形態の構成を採用する場合、ミキサー装置２０は、オーディオチャンネル２２ではなくビデオチャンネルに基づいて、それらに接続されているプレーヤー１０のＩＤを決定することとなる。その他、本発明の要旨を逸脱しない範囲で、適宜変更が可能である。
【符号の説明】
【００９９】
１０…プレーヤー  １１…ＬＡＮ端子  １２…オーディオ端子  １３…ディスプレイ  １４…メモリ  １５…ＵＳＢメモリ  ２０…ミキサー装置  ２１…ＬＡＮポート  ２２…オーディオチャンネル  ２３…スイッチングハブ  ３１…ＬＡＮケーブル  ３２…オーディオケーブル  ＳＹ…再生システム
【図１】
2012019558.tif 000003
【図２】
2012019558.tif 000004
【図３】
2012019558.tif 000005
【図４】
2012019558.tif 000006
【図５】
2012019558.tif 000007
【図６】
2012019558.tif 000008
【図７】
2012019558.tif 000009
【図８】
2012019558.tif 000010
【図９】
2012019558.tif 000011
【図１０】
2012019558.tif 000012
【図１１】
2012019558.tif 000013